(57)【要約】      （修正有）【課題】壁間や、収納家具などで棚板や洋服吊り下げポール等を取付ける際、容易に施工が行え、また適用幅を広げられる保持バーの取付構造を提供する。【解決手段】止め具本体１の上下片１０、１１で横バー７を上下より挟持し、止め具本体１に互いに近接自在に装着された係止爪２、３で止め具本体１を棚柱４の切欠５、６に係合・離脱可能とし、横バー７の背面の上下に互いに開口が対向するように係止溝８、９を形成し、止め具本体１に回動自在に枢支されたロック片１２を回動によりその両先端１３、１４をその係止溝８、９に係合・離脱可能とする。【選択図】図１
0003156342.tif 000002
【実用新案登録請求の範囲】
【請求項１】
止め具本体の上下片で横バーを上下より挟持し、止め具本体に互いに近接自在に装着された係止爪で止め具本体を棚柱の切欠に係合・離脱可能とし、横バーの背面の上下に互いに開口が対向するように係止溝を形成し、止め具本体に回動自在に枢支されたロック片を回動によりその両先端をその係止溝に係合・離脱可能として成る棚板等の保持バーの取付け構造。
【請求項２】
ロック片の両先端が横バーの上下の係止溝に係合し、係止爪が棚柱４の切欠に係合した状態からの離脱に際し、先ずロック片の回動でその両先端が係止溝より離脱し、次いで更にロック片を回動させることにより係止爪が切欠より離脱するように連携させたことを特徴とする請求項１に記載の棚板等の保持バーの取付け構造。
【請求項３】
係止爪が開離した状態から近接に際し、先ず係止爪が切欠に係合し、次いで更にロック片を回動させることによりその両先端が係止溝に係合するように連携させたことを特徴とする請求項１又は２に記載の棚板等の保持バーの取付け構造。
【考案の詳細な説明】
【技術分野】
【０００１】
本考案は、壁間や、収納家具などで棚板や洋服吊り下げポール等を取付ける際の保持バーの取付け構造の改良に関するものである。
【背景技術】
【０００２】
収納部に棚板や洋服吊り下げポールを設置する場合、柱に止め具を取付け、その止め具に棚板やポールの両端を保持することが行われてきている。そして柱には一定間隔で切欠や穴等を施して止め具の取付け位置を複数段に調整可能とすることも多い。
【０００３】
古くから行われている最もシンプルなタイプは対向する壁面や柱に穴や引っ掛け部を設けてダボやブラケットを装着してそれに棚板の両側を載せて支持するものである。しかしこれでは棚柱の表面に引っ掛け部が露呈して外観が損なわれる。
【０００４】
これを解消するために、最近棚柱の側部に引っ掛け部を設けて外観の低下を防止するものが提案されてきている。そして止め具背部の左右に開閉するクリップを棚柱側部の切欠に係合させて止め具を棚柱に装着して、これに棚板を載置するようにしている。
【０００５】
ところが棚柱の側部の切欠には一般にばねに抗して左右開くクリップ状の止め具が用いられることになるため、この棚柱には小さなダボ的な突起物を取付けるようにしかなっていなかった。
【０００６】
したがって小さなダボ的な止め具は棚板を点状に支持するだけであるので、重量の大きな棚板設置のための横バーや、衣服の吊り下げポール設置用の横バー等の取付けも困難であり、用途が狭く限定的となっていた。
【０００７】
【特許文献１】特開平２００４−３６７号公報
【特許文献２】特開平２００９−７２３９３号公報
【考案の開示】
【考案が解決しようとする課題】
【０００８】
本考案は、単独の接続具でこのような棚柱に横バーを直接簡単に取付けることができる棚板等の保持バーの取付け構造を提供するものである。
【考案の効果】
【０００９】
本考案は、外観に滑り止めの切欠や穴を必要としない棚柱に簡単なフックのみならず、棚柱間に架設する横バーであっても単独の接続具で直接棚柱に取付けることができるものであって、重量のある棚板の設置や洋服吊り下げパイプにも容易に対応でき、しかも振動が加わっても外れ難く安全性の向上を図り得るものである。
【００１０】
また、請求項２及び３の考案にあっては、一連の操作で切欠５、６と係止爪２、３の係合又は離脱と、ロック片１２の両先端１３、１４と係止溝８、９の係合・離脱を行えるので、棚柱４と横バー７の着脱が容易に行える。
【考案を実施するための最良の形態】
【００１１】
図１は本考案が適用される棚柱４の一例で、側部の（片側又は）両側に一定の間隔で係止用の切欠５、６が設けられ、これに取付ける横バー７は上下に夫々相対向して上溝８と下溝９が設けられている。
【００１２】
止め具本体１は上下縁より前方に突出した上下片１０、１１を有し、横バー４をこの上下片１５、１６間に挟み込んで位置決めさせるようになっている。またこの止め具本体１には背部にその先端が互に対向して折り曲げられた係止爪２、３が近接自在或いは回動自在となっていて、互いの間隔を広げて棚柱４の前面に止め具本体１を密着させた状態で、係止爪２、３の間隔を狭めることにより、棚柱４の切欠５、６に係合させるようになっている。
【００１３】
ここで係止爪２、３は回動の他、左右に平行移動するようにしても良いし、移動は双方可能としても良いし、片方のみとしても構わない。
【００１４】
また止め具本体１の前面にはロック片１２が回動自在に装着されていて、このロック片１２の両先端１３、１４を横バー７の上下溝８、９に弾性的に係合・圧入することにより横バー７と止め具本体１との結合をロックするようにしている。
【００１５】
ここで図１の実施例では上記係止爪２、３の一方、例えば２を止め具本体１に一体的に設け、他方の係止爪３を回動自在とすると共に、ばね１５により係止爪３が係止爪２方向に近付くように弾性力を付勢している。またロック片１２には必要に応じて操作用のハンドル１６を設け、係止爪３の解除片１７に当接して係止爪３を押し広げる突起１８を設けることができる。
【００１６】
また、棚柱４は縦薄板状の本体１９の背面に切欠５、６が設けられ、本体１９の適所を取付け穴２０で壁面にビス止めなどで取付けられるもので、表面はカバー２１で被われているが、その他、例えば角パイプ状の棚柱４の側面に切欠５、６を設けたものにも適用できる。
【００１７】
尚、係止爪２、３の形状は棚柱４の切欠５、６の形状に対応して変形させることができるもので、図の形状に限定されない。また切欠５、６をいずれか一方にだけ設ける場合は、係止爪２、３の一方が切欠に係合し、他方は前後の固定のみとなる。また、切欠の一方又は双方はローレットや細かい凸凹の粗面への押し付けの摩擦で止めるものでも構わない。
【００１８】
図２は壁面３１に取付けられた棚柱４に左右の横バー７を取付け、棚板３０を横バー７、７間に支持させるものであり、図３は横バー７にパイプ受け３２を設けた例で、この場合はパイプ受け３２にパイプ３３の両端を保持させる例である。
【００１９】
（動作の説明）
壁面収納や収納家具に於いて、棚板３０を設置する場合を例にして説明する。まず左右の壁面３１の適所に棚柱４を取付ける。次いで上下爪１０、１１間に横バー７を正面から填め合わせた状態で、止め具本体１の係止爪２、３を図４（ａ）のようにばね１５に抗して押し広げて棚柱４の切欠５、６に合わせる。この操作は図示例では、ハンドル１６を引き下げると突起１８が係止爪３の解除片１７に当接して係止爪３を押し広げて行われる。
【００２０】
係止爪２、３を切欠５、６に合わせて力を抜くと同図（ｂ）のように係合する。ここではばね１５により係止爪３が閉じる方向に付勢され、解除片１７は突起１８を反時計方向に移動させる。
【００２１】
次にハンドル１６押し上げると、同図（ｃ）のようにロック片１２の上下端１３、１４が横バー７の上下溝８、９に弾性に抗して圧入され、ロックされる。
【００２２】
取り外すときは、逆の操作で図４（ｃ）→（ｂ）→（ａ）となる。
【産業上の利用可能性】
【００２３】
本考案は、棚柱４に棚板等を設置するに際し、特に表面から棚柱４の切欠５、６が露出し難いタイプを採用するに当たり、一つの止め具で棚柱４に横バー７の双方に係合して簡単かつに確実に取付けることができるので、施工作業が容易に行え、また比較的重量の大きな棚板でも簡単に採用することができ、更に横バーを直接棚柱に装着できるので、横バーにパイプ受けを有するものを使用すれば簡単に衣服ハンガーを設置できるものである等、この種の棚柱を用いた場合のバリエーションを増やすことができる。
【００２４】
また係止爪２、３と切欠５、６の係合・離脱及びロック片１２の両先端１３、１４と係止溝８、９の係合・離脱を一連の操作で連携して行えるようにしておくと、手狭な施工現場でも棚板や吊り下げポール等の施工がスムーズに行えるようになる。
【図面の簡単な説明】
【００２５】
【図１】本考案の一実施例の概略分解斜視図。
【図２】同上の棚板設置例の斜視図。
【図３】同上のパイプ設置例の斜視図。
【図４】同上の作用説明図。
【符号の説明】
【００２６】
１    止め具本体
２    係止爪
３    係止爪
４    棚柱
５    切欠
６    切欠
７    横バー
８    係止溝
９    係止溝
１０  上片
１１  下片
１２  ロック片
１３  （ロック片の）先端
１４  （ロック片の）先端
【図１】
0003156342.tif 000003
【図２】
0003156342.tif 000004
【図３】
0003156342.tif 000005
【図４】
0003156342.tif 000006